(57)【要約】【課題】使用する人の予定に合わせて、暦の配置を変更可能とするカレンダーの提供。【解決手段】カレンダーは、上下に離間して平行に配置される棒状の支持棒１〜５と、この上下の支持棒１〜５間に掛け回される帯状体６を備える。支持棒１〜５は、保持具７，８に回転可能に保持されている。この保持具７，８は、板片を略コ字状に屈曲した形状であり、上下に互いの開放部を向かい合わせて配置されている。帯状体６は、上下に設置された支持棒１〜５に順次掛け回されている。【選択図】　　　図１
2004017351.tif 000002
【特許請求の範囲】
【請求項１】
棒状の支持棒が、上下に離間して平行に配置され、この上下の支持棒間に、暦が記載された帯状体が掛け回されており、
上下に配置された前記各支持棒は、回転可能に保持具に保持されている
ことを特徴とするカレンダー。
【請求項２】
上下それぞれに複数本の支持棒が配置され、その複数本の支持棒に、１本の帯状体が掛け回されている
ことを特徴とする請求項１に記載のカレンダー。
【請求項３】
前記暦は、各月毎に曜日と対応して日付が記載されたものが、上下方向に各月毎に配置されている
ことを特徴とする請求項１又は請求項２に記載のカレンダー。
【請求項４】
前記保持具は、上下にそれぞれ配置され、
一方の保持具に、前記支持棒が２本設けられ、他方の保持具に支持棒が３本設けられており、
前記帯状体が、側面視において略凹状又は逆凹状に、それぞれの支持棒に掛け回され、
上側の保持具が壁等に吊下げられる
ことを特徴とする請求項２又は請求項３に記載のカレンダー。
【請求項５】
前記支持棒に掛け回された前記帯状体の内、最前面に配置される部分には、上下方向に３ヶ月分の暦が現される
ことを特徴とする請求項１から請求項４までのいずれかに記載のカレンダー。
【発明の詳細な説明】
【０００１】
【発明の属する技術分野】
本発明は、カレンダーに関するものである。
【０００２】
【従来の技術】
従来、日にちや曜日を知るために、カレンダーが使用されている。通常、このカレンダーは、月毎に記載されているものや、日毎に記載されているもので、月毎若しくは日毎にめくっていくようになっている。また、上下に３か月分が記載されためくり式のカレンダーもある。さらに、全ての月を１枚にまとめて記載されているものもある。
【０００３】
【発明が解決しようとする課題】
しかしながら、月毎若しくは日毎にめくっていくものは、過ぎた月又は日を見ようとしても、その確認が難しい。最悪の場合、めくって捨ててしまっている場合もあり、その場合には確認することは不可能である。
また、現在を基準に例えば、その前後の月、若しくは２ヶ月先まで確認したい場合など、既存のめくり式のカレンダーでは対応ができない。月毎にめくるカレンダーの中には、各月毎のページ（例えば５月のページ）に、その前後の月（例えば４月と６月）を小さく表示したものはあるが、その場合には、その前後の月（４月、６月）の予定を書くには、小さすぎるし、また、６月の予定は、本来６月がメインのページに書く必要があるので複数のページに予定を書き込む必要がでてくる。
【０００４】
さらに、図３に示すように、３ヶ月分を記載しためくり式カレンダーの場合、図３（ａ）のように、上から順に３ヶ月分記載されているタイプでは、その一番上に表示される最初の月（例えば図３（ａ）における１月、４月）の時にだけ、それから２ヶ月先を確認することができる。図３（ａ）の場合、例えば２月、３月のときには、前後２ヶ月、又は経過した２ヶ月分を見ることとなり、使用する人の予定に合わせて暦の位置を変更することができない。
【０００５】
また、図３（ｂ）に示すカレンダーは、下から順に３ヶ月分記載されているタイプである。通常、このタイプのカレンダーは、１ヶ月が過ぎることに、その月の分を破り捨てるようになっている。これにより、後方の紙に記載された月が現れて常に２ヶ月先が見られるようになっているが、破り捨てるタイプは前述のように、過ぎた月日をみることができない。破らずに置いておくことも可能であるが、それでは図３（ａ）のタイプのカレンダーとなんら変わりのないものとなる。さらに、月が下から上に表示されており見にくいという弊害もある。
【０００６】
本発明は上記事情に鑑みてなされたものであり、その主たる目的は、使用する人の予定に合わせて、暦の配置を変更可能で、予定記入が一回で済むカレンダーを提供することにある。
【０００７】
【課題を解決するための手段】
上記目的を達成するために、本発明のカレンダーは、棒状の支持棒が、上下に離間して平行に配置され、この上下の支持棒間に、暦が記載された帯状体が掛け回されており、上下に配置された前記各支持棒は、回転可能に保持具に保持されていることを特徴とする。
【０００８】
また、好ましくは上記構成に加えて、上下それぞれに複数本の支持棒が配置され、その複数本の支持棒に、１本の帯状体が掛け回されていることを特徴とするカレンダーである。
【０００９】
また、好ましくは上記構成に加えて、前記暦は、各月毎に曜日と対応して日付が記載されたものが、上下方向に各月毎に配置されていることを特徴とするカレンダーである。
【００１０】
また、好ましくは上記構成に加えて、前記保持具は、上下にそれぞれ配置され、一方の保持具に、前記支持棒が２本設けられ、他方の保持具に支持棒が３本設けられており、前記帯状体が、側面視において略凹状又は逆凹状に、それぞれの支持棒に掛け回され、上側の保持具が壁等に吊下げられることを特徴とするカレンダーである。
【００１１】
また、好ましくは上記構成に加えて、前記支持棒に掛け回された前記帯状体の内、最前面に配置される部分には、上下方向に３ヶ月分の暦が現されることを特徴とするカレンダーである。
【００１２】
【発明の実施の形態】
以下、本発明のカレンダーについて、実施例に基づき更に詳細に説明する。
図１は、本発明のカレンダーの一実施例の使用状態を示す斜視図であり、図２は、図１のカレンダーの縦断面図である。
【００１３】
本実施例のカレンダーは、上下に離間して平行に配置される棒状の支持棒１〜５と、この上下の支持棒１〜５間に掛け回される帯状体６を備える。支持棒１〜５は、保持具７，８に回転可能に保持されている。この保持具７，８は、板片を略コ字状に屈曲した形状であり、上下に互いの開放部を向かい合わせて配置されている。
【００１４】
そして、支持棒１〜５は、保持具７，８の開放両端部７ａ，７ａ（８ａ，８ａ）を架け渡すように設置される。本実施例のカレンダーにおいては、上保持具７に、２本の支持棒１，２が前後に平行に設置され、下保持具８には、３本の支持棒３，４，５が設置されている。下保持具８に設置される支持棒３，４，５は、２本の支持棒３，４が前後に平行に設置され、その中央上方にもう１本の支持棒５が設置されており、ほぼ正三角形の頂点上にそれぞれ設置される。
【００１５】
帯状体６は、紙や布等で形成されており、その表面には、曜日と対応して日付が記載されている。本実施例のカレンダーは、帯状体６に、上方から下方に向かって、各月ごとの暦がブロックごとに順次記載されている。
【００１６】
そして、その帯状体６は、上下に設置された前述の支持棒１〜５に順次掛け回されていく。帯状体６の一端は、まず上方に設置されている支持棒の内、手前側の支持棒１に掛け回される。そして、下方に設置された支持棒の内、中央に設置された支持棒５に手前側から奥側に向かって掛け回され、上方に設置されている後方側の支持棒２に手前側から奥側に向かって掛け回される。次に、下方に設置された奥側の支持棒４に奥側から手前側に向かって掛け回され、さらに、下方に設置された手前側の支持棒３に奥側から手前側に向かって掛け回される。
こうして、全体として側面視で略凹状に掛け回されたのち、帯状体６の両端は、縫合又は面ファスナーや接着剤等で接続される。
【００１７】
本実施例のカレンダーを使用する際には、上保持具７の上端部に、紐９等を取付け、その紐９を壁１１等に設置したフック１０に引掛けて使用する。そして、カレンダーを順次めくるには、一番後方側若しくは手前から２番目の帯状体６の一片６ｄ，６ｂを下方に押下げれば、最前面（６ａ）に現れる月（暦）が順次変わることになる。また、経過後の月日を見たい場合には、最前面若しくは手前から３番目の帯状体６の一片６ａ，６ｃを押下げれば、最前面（６ａ）に順次経過した月（暦）が現れる。
【００１８】
なお、本実施例のカレンダーでは、最前面に現れる帯状体６の一片６ａに、順次３ヶ月分の暦が記載されているように、上下に配置される支持棒１〜５の間隔を調整している。
【００１９】
このような構成により、本実施例のカレンダーは、使用する人の予定に合わせて使い方を選べる。例えば、現在の月から２ヶ月先まで知りたい場合には、現在の月を一番上に配置することで２ヶ月先まで確認することが可能である。また、現在の月の前後を知りたい場合には、現在の月を中央に配置することで、前後の月を確認することが可能である。
【００２０】
このように、使う人の事情に合わせて使用することが可能である。しかも、その変更は、きわめて容易で、且つ、即座に行なうことができる。さらに、各月の予定は、その月に１回だけ記入することで済む。つまり、従来、例えば前後の月まで表示するカレンダーでは、例えば６月の暦は、６月のカレンダーだけでなく、５月や７月のカレンダーにも登場していたが、本実施例のカレンダーでは、一箇所にだけ登場するので、そこに記入するだけでよい。
【００２１】
また、めくり式等のカレンダーの場合、１年ごとに全体を買い換えているが、本実施例のカレンダーは、帯状体６だけを新しいものにするだけでも対応可能である。よって、買い換える費用もそれほどかからず、余分なゴミもでないので自然にも優しい。
【００２２】
ところで、図４は、本実施例のカレンダーの変形例を示す上部拡大斜視図であり、図５は、図４の縦断面図である。このカレンダーは、支持棒１の一端面に横向き略Ｔ字状の取っ手１２が設置されている。そして、支持棒１の一端部の外周面には、径方向外側へ突出して係止部１ａが歯車状に複数個形成されている。この係止部１ａは、帯状体６の一側端部に所定間隔で形成された略矩形状の穴６ｅに引掛けられる。よって、取っ手１２を回転させれば、順次係止部１ａが帯状体６の穴６ｅに引掛けられていくので、帯状体６を回転させることができる。また、支持棒１の両端部に係止部１ａを形成し、さらに帯状体６の両側端部に穴６ｅを形成する構成としてもよい。
【００２３】
なお、本発明のカレンダーは、上記実施例の構成に限らず、適宜変更可能である。例えば、上方に３本、下方に２本支持棒を設置するようにしてもよい。また、支持棒の数や、帯状体の支持棒への掛け回し方も、適宜変更可能である。さらに、上下に配置される支持棒の間隔を変更して、最前面に現れる月の数を増減しても構わない。加えて、上下に配置される保持具を一体化して、卓上型のカレンダーとしても構わない。
【００２４】
【発明の効果】
以上詳述したように、本発明のカレンダーによれば、使用する人の予定に合わせて、暦の配置を変更可能とすることができる。
【図面の簡単な説明】
【図１】本発明のカレンダーの一実施例の使用状態を示す斜視図である。
【図２】図１のカレンダーの縦断面図である。
【図３】従来のカレンダーを示す斜視図であり、（ａ）は、上から順に記載されたタイプのカレンダーであり、（ｂ）は、下から順に記載されたタイプのカレンダーである。
【図４】図１のカレンダーの変形例を示す上部拡大斜視図である。
【図５】図４のカレンダーの縦断面図である。
【符号の説明】
１，２　支持棒
３，４，５　支持棒
６　帯状体
７　上保持具
８　下保持具
９　紐
１０　フック
１１　壁
１２　取っ手
【図１】
2004017351.tif 000003
【図２】
2004017351.tif 000004
【図３】
2004017351.tif 000005
【図４】
2004017351.tif 000006
【図５】
2004017351.tif 000007